(57)【要約】【課題】薄型タッチセンサーを用いて第三ボタン信号を発生させるカーソル制御装置を提供する。【解決手段】本体に設けられる回路基板と、前記本体に設置され、且つ前記回路基板上に位置し、細長い形の貫通穴を有する台座と、前記台座上に設けられ、前記細長い形の貫通穴と揃っているタッチパネルプレートと、前記タッチパネルプレート上に設置され、前記回路基板と電気的に接続し、検知されるタッチ状況に応じてモニターにスクロール信号を発生させるタッチセンサーと、前記回路基板上に設置され、前記タッチパネルプレートの下に位置し、前記タッチパネルプレートにより生じるシフトに応じてトリガーされるボタンセンサーを含む。【選択図】図４
2007317158.tif 000002
【特許請求の範囲】
【請求項１】
カーソル制御装置であって、
本体と、
前記本体に設けられる回路基板と、
前記本体に設置され、且つ前記回路基板上に位置し、細長い形の貫通穴を有する台座と
前記台座上に設けられ、前記細長い形の貫通穴と揃えられているタッチパネルプレートと、
前記タッチパネルプレート上に設置され、前記回路基板と電気的に接続し、検知されるタッチ状況に応じてモニターにスクロール信号を発生させるタッチセンサーと、
前記回路基板上に設置され、前記タッチパネルプレートの下に位置し、前記タッチパネルプレートにより生じるシフトに応じてトリガーされるボタンセンサーを含むことを特徴とするカーソル制御装置。
【請求項２】
前記タッチセンサーが薄膜アレイスイッチであることを特徴とする請求項１に記載するカーソル制御装置。
【請求項３】
前記タッチパネルプレートがさらに爪部とフランジを含むことを特徴とする請求項１に記載するカーソル制御装置。
【請求項４】
前記タッチパネルプレートが弾性の接続部により前記台座と接続し、かつ、前記タッチパネルプレート、前記弾性の接続部及び前記台座が一体成型されることを特徴とする請求項１に記載するカーソル制御装置。
【請求項５】
さらに前記タッチセンサーの両側にそれぞれ設置され、且つ前記台座に位置する二つのボタン部と、前記タッチセンサーの両側からそれぞれ伸ばされ、且つ前記二つのボタン部の下方にそれぞれ位置する二つのボタンスイッチを含むことを特徴とする請求項１に記載するカーソル制御装置。
【発明の詳細な説明】
【技術分野】
【０００１】
本発明はカーソル制御装置に係わり、特に薄型タッチセンサーを用いて第三ボタン信号を発生させるカーソル制御装置である。
【背景技術】
【０００２】
情報化、電子化が日に日に進む今日の社会では、コンピューターはすでに現代人の生活の中でとても重要な役割となっており、ユーザーのパソコン操作上における様々なニーズに対応できるように、関連するハードウェアやソフトウェアはより人間らしく、より便利になるように研究開発されている。例を挙げると、一般的なマウス装置（或いはいわゆる指標装置、カーソル装置）の機能は、最も基本的なモニター上のカーソル移動の制御とウィンドウ上の特定の選択項目をクリックする機能以外に、ユーザーがよく使用する操作に応じて動作し、特定の機能を提供することである。例えばパソコンモニターの垂直と水平スクロール制御を提供するために、マウス上にホイールモジュール或いはチルトホイールモジュールが設置される。
【０００３】
図１に従来技術におけるチルトホイールモジュール１１を有するホイールマウス１０の装置概略図を示す。図から分かるように、ホイールマウス１０はホイールマウス１０上に設置されたチルトホイールモジュール１１により前後方向のスクロール或いは左右方向に傾斜することができ、ユーザーは図形化インターフェース或いはウィンドウインターフェースで閲覧するとき、ページ面の垂直上下スクロールと水平左右移動の目的を達成することができる。また、チルトホイールモジュール１１の下方に設置されたボタンスイッチ（本図では示していない）をさらにトリガーするために、チルトホイールモジュール１１も設計により上下移動できるようになる。チルトホイールモジュール１１の下方に位置するボタンスイッチは通常マウスの第三ボタン（もともとの左右二つのボタン１２、１３に対してである）とされ、この第三ボタンの機能はユーザー設定によりそれぞれ異なる。
【０００４】
また、現段階の技術においては、このようなホイールモジュールを有するホイールマウス装置の体積を減少させるために、装置全体が薄くて軽くそして簡潔な外観になっており、すでに多くのメーカーは従来のホイールモジュールを薄型のタッチ式薄膜スイッチに取り替えている。図２に従来のタッチ式薄膜スイッチ２１を有する薄型マウス２０の装置概略図を示す。図２から分かるように、タッチ式薄膜スイッチ２１を有する薄型マウス２０は薄型の薄膜スイッチを用いるため、外形は図１のホイールマウス１０よりも薄くて軽い。
【０００５】
ページ面のスクロール方向を決定するために、上記のタッチ式薄膜スイッチ２１は内部に備えられている複数の等距離に排列された電気回路素子により形成されている薄型アレイスイッチを用い、ユーザーの指により触れられた開始と終了の位置を感知する。これはホイールモジュールをスクロールした際のスクロール機能のようなものである。
【０００６】
しかし、従来のタッチ式薄膜スイッチ２１を有する薄型マウス２０には第三ボタン機能のボタンスイッチに接触することができる構造設計が提供されていないため、薄型マウス２０に備えられているボタンは図２における左右二つのボタン２２、２３だけで、ホイールマウス１０により拡張される第三ボタンに関連する機能はない。従って、どのように従来装置が有する欠点を解決するかが本発明の主な目的となる。
【発明の開示】
【発明が解決しようとする課題】
【０００７】
本発明の目的は、第三ボタンをトリガーすることのできる薄型タッチセンサーを備えるカーソル制御装置を提供することである。
【０００８】
本発明はカーソル制御装置に係わり、本体と、前記本体に設けられる回路基板と、前記本体に設置され、且つ前記回路基板上に位置し、細長い形の貫通穴を有する台座と、前記台座上に設けられ、前記細長い形の貫通穴と揃っているタッチパネルプレートと、前記タッチパネルプレート上に設置され、前記回路基板と電気的に接続し、検知されるタッチ状況に応じてモニターにスクロール信号を発生させるタッチセンサーと、前記回路基板上に設置され、前記タッチパネルプレートの下に位置し、前記タッチパネルプレートにより生じるシフトに応じてトリガーされるボタンセンサーを含む。
【０００９】
上記の構想に基づいて、そのうちの前記タッチセンサーが薄膜アレイスイッチである。
【００１０】
上記の構想に基づいて、そのうちの前記タッチパネルプレートがさらに爪部とフランジを含む。
【００１１】
上記の構想に基づいて、そのうちの前記タッチパネルプレートが弾性の接続部により前記台座と接続し、かつ、前記タッチパネルプレート、前記弾性の接続部及び前記台座が一体成型される。
【００１２】
上記の構想に基づいて、本発明で述べられているカーソル制御装置はさらに前記タッチセンサーの両側にそれぞれ設置され、且つ前記台座に位置する二つのボタン部と、前記タッチセンサーの両側からそれぞれ伸ばされ、且つ前記二つのボタン部の下方にそれぞれ位置する二つのボタンスイッチを含む。
【発明を実施するための最良の形態】
【００１３】
本発明を次に図面により詳細に説明する。
【実施例】
【００１４】
図３に本発明の第一の最適な実施例に係わるカーソル制御装置の外観概略図を示す。この実施例におけるカーソル制御装置は薄型マウスを例としている。特に説明すべきことは、図３にマウス構造のすべてを示しているわけではなく、本発明の特徴に相関する部分のみ示してあることである。
【００１５】
図３に示す薄型マウス３０は本体３００、タッチセンサー３１と二つのボタン部３２、３３を含み、そのうちタッチセンサー３１はパソコンモニター上のページ面の垂直スクロールを制御するために、ユーザーにタッチセンサー３１上で滑らせるように触れてもらいスクロール信号を発生させる。このタッチセンサー３１は前述の従来技術で述べられている薄型アレイスイッチを使用することができる。また、二つのボタン部３２、３３はタッチセンサー３１の両側にそれぞれ設置され、モニターページ面の水平方向のスクロールを制御するのに用いられる。これは従来のマウス装置上のチルトホイールモジュールの傾斜動作により生じる機能のようなものである。以下に本発明におけるカーソル制御装置の構造についての詳細な説明を行う。
【００１６】
図４に図３の分解図を示す。図４では本体３００内に回路基板３４、台座３５、タッチパネルプレート３６がさらに含まれている。そのうち回路基板３４がカーソル制御装置により必要とされる電気回路素子を設置するために用いられ、タッチパネルプレート３６はタッチセンサー３１を設けるために用いられる。台座３５は回路基板３４の上側に位置し、タッチセンサー３１はタッチパネルプレート３６上に平らに置かれ、タッチパネルプレート３６上と同じように台座３５上に備え付けられる。
【００１７】
引き続き図４に示すように、台座３５には細長い形の貫通穴３５１が含まれ、タッチパネルプレート３６は細長い形の貫通穴３５１と揃えられている。これ以外に、タッチパネルプレート３６はタッチパネルプレート３６の周りに設置されている爪部３６１とフランジ３６２を含み、タッチパネルプレート３６が操作中に台座３５から脱落しないように、爪部３６１とフランジ３６２は細長い形の貫通穴３５１の内側周囲と係止される。
【００１８】
また、回路基板上のタッチパネルプレート３６の下方に設置されているボタンセンサー３７（例えばマイクロスイッチ）は、細長い形の貫通穴３５１によりタッチパネルプレート３６をボタンセンサー３７のトリガー点３７１に接触させることができ、トリガー点３７１には弾力がある。このボタンセンサー３７の機能は従来のホイールモジュールの下側に設置されている第三ボタンに類似する。ユーザーがタッチパネルプレート３６を触圧することにより、タッチパネルプレート３６に回路基板３４に垂直する方向にシフトをさせ、またボタンセンサー３７のトリガー点３７１は触圧されスイッチ信号を発生する。ユーザーがタッチパネルプレート３６を触圧しないとき、トリガー点３７１が有する弾力はタッチパネルプレート３６を元の位置に押し返すことができる。
【００１９】
さらに、図４に示されている二つのボタン部３２、３３がそれぞれ台座３５上に組み合わせられ（図の破線で指示している接続方向）、二つのボタンスイッチ３２１、３３１がタッチセンサー３１の両側からそれぞれ伸ばされ、且つ二つのボタン部３２、３３の下方にそれぞれ位置し、二つのボタンスイッチ３２１、３３１は二つのボタン部３２、３３がユーザーにより押さえつけられる様子を検知することができる。図４の台座３５上に位置している左ボタンセンサー３５２と右ボタンセンサー３５３は従来のマウスの左ボタンと右ボタンである。特に説明すべきことは、モニターの水平方向のスクロール制御に用いられるボタンスイッチ３２１、３３１が必要部品ではなく、ユーザーのニーズにより設置しても設置しなくてもよい。
【００２０】
また、図４にはさらに指示リング３８が示されており、指示リング３８はタッチセンサー３１と前記タッチパネルプレート３６を結合するために用いられ、ユーザーがタッチセンサー３１に対して滑らせながら触れるときの滑らせることができる範囲を指し示すことができる。
【００２１】
図５に図４の分解図に係わる分解透視図を示す。図５から分かるように、矢印方向ａ１に沿って滑ることはタッチセンサー３１に垂直方向のスクロール制御をさせることができる。矢印方向ａ２によって二つのボタン部３２、３３を触圧することは画面の水平スクロールを制御できることで、もし矢印方向ａ３によって下向きに押すならば、タッチパネルプレート３６がその下方に設置されているボタンセンサー３７に接触し、第三ボタンの機能を起動することができる。
【００２２】
図６に本発明のカーソル制御装置におけるタッチパネルプレートと台座の別の実施例に係わる概略図を示す。図６の実施例において、台座４５はそのまま細長い形の貫通穴４５１を備え、タッチパネルプレート４６が弾性接続部４６１、４６２により台座４５と結合する。そのうち台座４５、タッチパネルプレート４６、弾性接続部４６１、４６２は一体成型の方式により形成される。ユーザーがタッチパネルプレート４６を触圧するとき、弾性接続部４６１、４６２によりタッチパネルプレート４６は接続部Ａ１を支点として下向きに揺れ動きボタンセンサーをトリガーすることができる。
【００２３】
以上述べたことをまとめれば、本発明のカーソル制御装置を用いることでマウスを薄型化できる薄膜アレイスイッチをモニタースクロールの制御インターフェースとするが、さらに特別な設計の構造により、タッチパネルプレートと台座が含まれ、班発明のカーソル制御装置に第三軸スイッチ信号を発生させることができ、従来の薄型マウスに比べ、確かに効果が増すことが分かる。
【００２４】
本発明は、この領域を熟知している技術者により手を加え、変更することができるが、すべて上記の特許請求の範囲内に含まれる。
【図面の簡単な説明】
【００２５】
【図１】従来のホイールモジュールを有するホイールマウスの装置概略図。
【図２】従来のタッチ式薄膜スイッチを有する薄型マウスの装置概略図。
【図３】本発明のマウスに係わる最適な実施例の外観概略図。
【図４】本発明のカーソル制御装置に係わる最適な実施例の部分内部構造の分解図。
【図５】図４のカーソル制御装置ある角度における分解透視図。
【図６】本発明のカーソル制御装置におけるタッチパネルプレートと台座の別の実施例に係わる概略図。
【符号の説明】
【００２６】
１０  ホイールマウス
１１  チルトホイールモジュール
１２、１３、２２、２３    ボタン
２０、３０  薄膜マウス
２１  タッチ式の薄膜スイッチ
３００  本体
３１  タッチセンサー
３２、３３  ボタン部
３２１、３３１    ボタンスイッチ
３４    回路基板
３５、４５  台座
３５１、４５１    細長い形の貫通穴
３５２    左ボタンセンサー
３５３    右ボタンセンサー
３６、４６    タッチパネルプレート
３６１  フランジ
３６２    爪部
３７  ボタンセンサー
３７１  トリガー点
３８  指示リング
ａ１、ａ２、ａ３  矢印方向
４６１、４６２  弾性接続部
Ａ１  接続部
【図１】
2007317158.tif 000003
【図２】
2007317158.tif 000004
【図３】
2007317158.tif 000005
【図４】
2007317158.tif 000006
【図５】
2007317158.tif 000007
【図６】
2007317158.tif 000008